(57)【要約】細長いエレメントの軸方向締付け取付け装置である。本発明は、細長いエレメントを軸方向に締め付けて取り付ける装置を目的とする。この装置は、細長いエレメント（２）の一端（２’）を支持する第一の支持エレメント（５）を含むストッパ部品（４）と、保持部品（６）とが固定され、これらの部品（４、６）が軸方向に分離されている、基体をなす本体（３）と、細長いエレメント（２）を受容する横断通路を含んで保持部品（６）とストッパ部品（４）との間に据え付けて配置可能な着脱式の支持ブロック（７）と、細長いエレメント（２）の他端（２’’）を支持する第二の支持エレメント（１０）を含む可動部品（９）とから構成されており、前記可動部品（９）が、２個のリンクロッド（１１、１１’）に連結式に結合され、このリンクロッドが、偏心機構（１２、１２’）に対向端で回転自在に取り付けられ、偏心機構が、基体をなす本体（３）に回転式に取り付けられて、把持装置または操作装置または把持部位または操作部位（１４）を備えた軸回転キャップまたはカバー（１３）に剛性に組み込まれ、前記キャップまたはカバー（１３）が、折り畳み位置で前記部品（４、６、９）および前記エレメント（５、７、１０）の全体をほぼ覆うことを特徴とする。
2005521043.tif 000002
【特許請求の範囲】
【請求項１】
細長いエレメント、特に装置を貫通する循環路に気密に組み込まれる着脱式の筒状エレメントを、正確に整列させて軸方向に締め付け、取り付ける装置であって、細長いエレメント（２）の一端（２’）のための第一の支持エレメント（５）を含むストッパ部品（４）と、前記細長いエレメント（２）を少なくとも部分的に保持する保持部品（６）とが形成または固定され、これらの部品（４、６）が軸方向に分離されている、軸方向（Ｘ）を画定して基体をなす剛性の本体（３）と、細長いエレメント（２）の少なくとも一部をスライド式のはめ合わせにより受容する横断通路（８）を含んで保持部品（６）と少なくともこの保持部品で表面を支持されるストッパ部品（４）との間に据え付けて配置可能な着脱式の支持ブロック（７）と、軸方向（Ｘ）でガイドされ、細長いエレメント（２）の他端（２’’）のための第二の支持エレメント（１０）を含む可動部品（９）とから主に構成されており、前記可動部品（９）が、操作装置（１３、１４）の回転運動を前記可動部品（９）の前記軸方向（Ｘ）の並進運動に変換する手段（１１、１１’：１２、１２’）に結合されることを特徴とする、装置。
【請求項２】
可動部品（９）が、連結式に２個のリンクロッド（１１、１１’）に結合され、このリンクロッドが、前記可動部品（９）に対向する端で、各々の偏心機構（１２、１２’）に回転自在に取り付けられ、偏心機構が、基体をなす本体（３）に回転式に取り付けられて、把持装置または把持部位（１４）を備えた回転レバーをなす部品（１３）と剛性に組み立てられ、偏心機構（１２、１２’）及びリンクロッド（１１、１１’）からなる２個のアセンブリが、レバー（１３）の軸回転運動を可動部品（９）の並進運動に変換することを特徴とする、請求項１に記載の装置。
【請求項３】
単一の操作装置が、軸回転レバーをなすキャップまたはカバー（１３）からなり、前記レバーを移動するための端の把持装置または部位（１４）を備えており、前記カバーまたはキャップ（１３）が、細長いエレメント（２）の締付け状態に対応する折り畳み位置で部品（４、６、９）およびエレメント（５、７、１０）のアセンブリをほぼ覆うことを特徴とする、請求項１または２に記載の装置。
【請求項４】
支持ブロック（７）が、ストッパ部品（４）側に向けられる面に、ストッパ部品（４）の対向面に設けられた一定形状の溝（４’）として形成された少なくとも一つの補強部と形状の結合により協働するような形状を持つリブとして形成された少なくとも一つの突出部（７’）を含み、、保持部品（６）とストッパ（４）との間で本体（３）の面と軸方向（Ｘ）とに対して垂直に前記支持ブロック（７）を摺動ガイドして導入し、前記支持ブロック（７）を取付け状態で側面保持可能にすることを特徴とする、請求項１から３のいずれか一項に記載の装置。
【請求項５】
支持ブロック（７）を収容する通路（８）が、細長いエレメント（２）を弾性的に締め付ける軸封装置（８’）により各端で部分的に形成され、前記支持ブロック（７）が、軸方向（Ｘ）の両側に配置される二つの外側側面に、指のための対向把持溝をなす空洞（７’’）を含むことを特徴とする、請求項１から４のいずれか一項に記載の装置。
【請求項６】
可動部品（９）の第二の支持エレメント（１０）は、支持ブロック（７）が取付け位置にあるとき、保持部品（６）からはみ出す細長いエレメント（２）の端部分（２’’）を収容するための中空の収容部（１０’）を含んでおり、前記可動部品（９）が、前記可動部品（９）と保持部品（６）とに保持された少なくとも２個のガイドロッド（１５）を介して、一方で固定され、他方でスライドするように、軸方向にガイドされることを特徴とする、請求項１から５のいずれか一項に記載の装置。
【請求項７】
第一の支持エレメント（５）は、軸方向の締付け時に、細長いエレメント（２）のスラスト作用により軸方向（Ｘ）にスライド可能にストッパ部品（４）に取り付けられ、これが、前記軸方向（Ｘ）に沿って反対方向で前記第一の支持エレメント（５）を前記ストッパ部品（４）の内部ストッパ（４’’）に押し付ける弾性的な外力に抗して行われることを特徴とする、請求項１から６のいずれか一項に記載の装置。
【請求項８】
第一の支持エレメント（５）のショルダ（５’）と、ストッパ部品（４）および／または基体をなす本体（３）に結合される控え部材をなす部品（１７）との間に、応力をかけて取り付けられ、２個ずつ互い違いに組み立てられた、一つまたは複数組のばねリング（１６）、たとえば皿ばね状の構造部分により、弾性的な外力が供給されることを特徴とする、請求項７に記載の装置。
【請求項９】
保持部品（６）が、細長いエレメント（２）の一部を受容する通路（１９）部分を画定する切抜き（６’）を上部に含んでおり、カバー（１３）が、折り畳み時に覆われる部品（４、６、９）およびエレメント（５、７、１０）に向いた内面に、受止装置をなす部品（１８）を含んでおり、この部品が、部材（１３、１９）を基体（３）に向かって折り畳んだ位置で保持部品（６）により支持され、保持部品（６）の切抜き（６’）を補足する形状の突起（１８’）を備えており、この突起は、前記カバー（１３）が折り畳み位置にあるとき、細長いエレメント（２）の一部を受容する通路（１９）の補足部分をなすことを特徴とする、請求項１から８のいずれか一項に記載の装置。
【請求項１０】
カバー（１３）が、Ｕ字形の横断面を持つ特定構造を有し、その側面翼（１３’）が、偏心機構（１２、１２’）を有し、前記カバー（１３）の折り畳み位置で部品（４、６、９）およびエレメント（５、７、１０）の上面ならびに側面と、リンクロッド（１１、１１’）と、場合によっては、基体をなす本体（３）とを覆い、前記カバー（１３）が、偏心機構（１１、１１’）の対向端に、たとえば前記カバー（１３）の前記端を延長する湾曲部分として、レバー状の把持装置（１４）を備えることを特徴とする、請求項３から９のいずれか一項に記載の装置。
【請求項１１】
基体をなす本体（３）が、台座をなすプレート（２０）に密接な表面接触により結合され、このプレートが、ラジエータ（２２）に結合される少なくとも一つのペルティエ効果素子（２１）を対向面で支持することを特徴とする、請求項１から１０のいずれか一項に記載の装置。
【請求項１２】
細長いエレメント（２）が、各端（２’、２’’）で、第一および第二の支持エレメント（５、１０）の対応する接触面（５’’、１０’’）に密接に押し当てられる接触面（２’’）に、対応する流体用の循環路（２３’）に通じる孔（２３）を備えており、前記第一および第二の支持エレメント（５、１０）の前記接触面（５’’、１０’’）が、これらのエレメントに設けられた対応する流体循環路（２５、２５’）に通じる穴（２４、２４’）をそれぞれ備えており、向かい合った各組の穴の並置された二つの穴（２３と２４；２３と２４’）は、細長いエレメント（２）を締付け後、整列されて連通し、互いに密接に押し当てられる個々の接触面（２’’’と５’’；２’’’と１０’’）が、前記隣接穴（２３と２４；２３と２４’）の周囲を気密にし、前記支持エレメント（５、１０）に設けられた通路（２５、２５’）が、個々の連通穴（２４と２４’）に向かい合って前記支持エレメント（５、１０）に取り付けられる管路（２７）の接続または接合手段（２６、２６’）に結合されることを特徴とする、請求項１から１０のいずれか一項に記載の装置。
【請求項１３】
基体をなす本体（３）、保持部品（６）およびストッパ（４）、支持ブロック（７）および可動部品（９）が、たとえばステンレス鋼等の不銹金属のブロック構造を有し、また形状がほぼ平行六面体であって、軸方向（Ｘ）に垂直な面でほぼ同じ対向面、または偏平な接触面および断面を有することを特徴とする、請求項１から１２のいずれか一項に記載の装置。
【請求項１４】
一般にゲルを満たされて分析液の流れが通る、交換可能なカートリッジ支持体用の高圧クロマトグラフィー装置のカートリッジホルダであって、請求項１から１３のいずれか一項に記載の装置（１）からなり、細長いエレメント（２）が、上記の円筒カートリッジから形成されることを特徴とするカートリッジホルダ。
【請求項１５】
基体（３）をなす支持本体が、好適には周方向の側壁（２９）で囲まれたスペース（２８）を有し、このスペースが、折り畳み部分で回転するカバー（１３）と共に、ほぼ閉じられた体積を構成して、第一の支持エレメント（５）の接続部品（２６）により接続される液体供給管（２７）の複数の巻きを支持するドラム（３０）を受容し、前記ドラム（３０）が、熱伝導性材料からなるブロック円筒構造を有し、その底によって、前記基体をなす本体（３）に密接な表面接触により固定されることを特徴とする、請求項１４に記載のカートリッジホルダ。
【発明の詳細な説明】
【技術分野】
【０００１】
本発明は、たとえば高圧クロマトグラフィー装置と関連して用いられるゲルカートリッジ用のカートリッジホルダなどの細長いエレメントを一時的に応力下で支持するシステムおよび装置に関し、細長いエレメントの取付け装置と、対応するカートリッジホルダとを目的とする。
【背景技術】
【０００２】
システム内で交換可能なエレメントを頻繁に取付け／取外しする必要があり、取付け状態で場合によっては前記エレメントに応力をかけて正確に位置決めを行う、多数の用途が存在する。
【０００３】
しかしながら、こうした機能を果たすことができる現在の装置は、比較的複雑で大型構造であり、操作が面倒である。
【０００４】
上記の用途の特定のケースは、高圧クロマトグラフィー装置に関し、より詳しくは、このような装置の一部をなすカートリッジホルダに関連する。
【０００５】
ところで、特に米国特許第５４７２５９８号明細書および米国特許第５４８２６２８号明細書に開示された現在のカートリッジホルダでは、迅速な取外し／取付けができず（ねじ留めにより構成部分を組み立てる）、全方向から自由に接近できる手段を配置する必要があり、取付けの都度、気密性を最適化できないうえ、場合によっては、円滑な熱調整を行えない。
【発明の開示】
【発明が解決しようとする課題】
【０００６】
本発明の目的は、特に、上記の不都合の少なくとも幾つかを解消できる解決方法を提案することにある。
【課題を解決するための手段】
【０００７】
このため、本発明は、細長いエレメント、特に装置を貫通する循環路に気密に結合される着脱式の筒状エレメントを、正確に整列（アラインメント）させて軸方向に締め付け、取り付ける装置を目的とし、この装置が、主に、細長いエレメントの一端のための第一の支持エレメントを含むストッパ部品と、前記細長いエレメントを少なくとも部分的に保持する保持部品とが形成または固定され、これらの部品が軸方向に分離されている、軸方向Ｘを画定する基体をなす剛性本体と、細長いエレメントの少なくとも一部をスライド式のはめ合わせにより受容する横断通路を含んで保持部品と少なくともこの保持部品で表面を支持されるストッパ部品との間に据え付けて配置可能な着脱式の支持ブロックと、一定方向にガイドされ、細長いエレメントの他端のための第二の支持エレメントを含む可動部品とから主に構成されており、前記可動部品が、操作装置の回転運動を前記可動部品の前記方向の並進運動に変換する手段に結合されることを特徴とする。
【０００８】
本発明は、概略的な添付図面に関して限定的ではなく例として説明された好適な実施形態に関する以下の説明から、いっそう理解されるであろう。
【発明を実施するための最良の形態】
【０００９】
添付図が示すように、本発明は、細長いエレメント２、特に装置１を貫通する循環路に気密に組み込まれる着脱式の筒状エレメントを、正確に整列させて軸方向に締め付け、取り付ける装置１に関する。
【００１０】
この装置１は、細長いエレメント２の長手方向の一端２’を支持する第一の支持エレメント５を含むストッパ部品４と、前記細長いエレメント２を少なくとも部分的に保持する部品６とが形成または固定され、これらの部品４、６が互いに軸方向に分離されるかずらされている、軸方向Ｘを画定して基体をなす剛性の細長い本体３と、細長いエレメント２の少なくとも一部をスライド式のはめ合わせにより受容するかまたはスライド式に受容する横断通路８を含んで保持部品６と少なくともこの保持部品で表面を支持されるストッパ部品４との間に据え付けて配置可能な着脱式の支持ブロック７と、さらに、軸方向Ｘでガイドされ、細長いエレメント２の他端２’’のための第二の支持エレメント１０を含む可動部品９とから構成され、前記可動部品９が、操作装置１３、１４の回転運動を前記可動部品９の前記方向Ｘの並進運動に変換する手段１１、１１’；１２、１２’に結合されている。
【００１１】
添付図面に示した本発明の有利な実施形態によれば、可動部品９が、連結式に２個のリンクロッド１１、１１’に結合され、このリンクロッドが、前記可動部品９に対向する端で、各々の偏心機構１２、１２’に回転自在に取り付けられ、偏心機構が、基体をなす本体３に回転式に取り付けられて、把持装置または把持部位１４を備えた回転レバーをなす部品１３と共に剛性に組み立てられ、偏心機構１２、１２’／リンクロッド１１、１１’からなる２個のアセンブリが、レバー１３の軸回転運動を可動部品９の並進運動に変換する。
【００１２】
レバー１３は、たとえば、起こした（持ち上げた）位置（部品９を外す位置）と、部品４、６、９に（折り）畳んだ位置（部品９を係合する締付け位置）との間で軸回転移動可能な簡単なハンドルからなる。
【００１３】
しかし、好適には、単一の操作装置が、軸回転レバーをなすキャップまたはカバー１３からなり、前記レバーを移動するための端の把持装置または部位１４を備えており、前記カバーまたはキャップ１３が、細長いエレメント２の締付け状態に対応する折り畳み位置で部品４、６、９およびエレメント５、７、１０のアセンブリをほぼ覆うことにより、基体３と協働して、前記構成部品を囲む基本的な断熱保護ケースを少なくとも部分的に形成する。
【００１４】
もちろん、可動部品９の行程は、カバー１３を折り畳んだ状態で細長いエレメント２が少なくとも所定の最小の力により第一および第二の支持エレメント５、１０の間で締め付けられるように、また、前記カバー１３を起こした状態で前記細長いエレメント２が完全に係合解除され、配置されている支持ブロック７と共に装置１から容易に取り出せるように決められる。
【００１５】
このようにして、細長いエレメント２は、単にカバー１３の有限の回転運動により締め付けられ、あるいは緩められ、前記細長いエレメント２の正確な操作および位置決めは、支持ブロック７との関係により容易に行われ、締付け取付けに必要な応力は制限される。
【００１６】
各偏心機構１２、１２’は、対応するリンクロッド１１、１１’がその周囲に回転自在に取り付けられる円板状の部分１２’’と、カバー１３への接続部１２’’’とを含み、円筒ロッド部品が、本体３との回転結合を行う。
【００１７】
可動部品９の位置におけるリンクロッド１１、１１’の考えられる連結結合を、実施例として添付図に示した。
【００１８】
特に添付図３から５に示した本発明の第一の特徴によれば、支持ブロック７が、ストッパ部品４側に向けられる面に、ストッパ部品４の対向面に設けられた一定形状の溝４’の形状をとる少なくとも一つの補強部と形状の結合により協働するような形状を持つリブとして形成された少なくとも一つの突出部７’を含んでおり、本体３の面と方向Ｘとに対して垂直に保持部品６とストッパ４との間に前記支持ブロック７を摺動ガイドして導入し、前記支持ブロック７を取付け状態で側面保持可能にする。
【００１９】
好適には、リブ７’および溝４’の断面輪郭が矩形または蟻ほぞ形を有する。
【００２０】
細長いエレメント２を支持ブロック７に弾性的な締付けにより正確に保持し、この支持ブロックに対して容易に取付け取外し可能にするために、支持ブロック７を収容する通路８は、細長いエレメント２を弾性的に締め付ける軸封装置８’により各端で部分的に形成される。
【００２１】
支持ブロック７の操作、特に取り外しを容易にするために、支持ブロックは、軸方向Ｘの両側に配置される二つの外側側面に、指のための対向把持溝をなす空洞７’’を含み、指の間で挟むことにより前記ブロック７をつかめるようにしている。
【００２２】
締付け中に細長いエレメント２を正確に位置決め保持し、前記細長いエレメント２の軸に締付け力を及ぼすことができるようにするために、可動部品９の第二の支持エレメント１０は、支持ブロック７が取付け位置にあるとき、保持部品６からはみ出す細長いエレメント２の端部分２’’を収容するための中空の収容部１０’を含んでおり、前記可動部品９が、前記可動部品９と保持部品６とに保持された少なくとも２個のガイドロッド１５を介して、一方で固定され、他方でスライドするように、軸方向にガイドされる。
【００２３】
細長いエレメント２で場合によっては生じる損傷を回避するとともに、予め調整した締付け強度を確保するために、第一の支持エレメント５は、軸方向の締付け時に、細長いエレメント２の推力（スラスト）作用により軸方向Ｘにスライド可能にストッパ部品４に取り付けられており、これは、前記第一の支持エレメント５を前記軸方向Ｘに沿って反対方向に前記ストッパ部品４の内部ストッパ４’’に押し付ける弾性的な外力に抗して行われる。
【００２４】
添付図１および３から５に特に示した本発明の好適な実施形態によれば、第一の支持エレメント５のショルダ５’と、ストッパ部品４および／または基体をなす本体３に結合される控え部材をなす部品１７との間に、応力をかけて取り付けられ、２個ずつ互い違いに組み立てられた、一つまたは複数組のばねリング１６、たとえば皿ばね状の構造部分により、弾性的な外力が供給される。
【００２５】
さらに、部品４、６は、場合によっては、部品７の隣接面と接する面に、スタッド（ｐｌｏｔｓ）等の高さの低い弾性エレメント３１を含むことができ、これらのエレメントは、閉鎖位置でカバー１３の折り畳み時に完全につぶされる。
【００２６】
本発明の別の特徴によれば、支持ブロック７からはみ出た細長いエレメント２の部分を半径方向に固定し、カバー１３の折り畳み位置を正確に再現可能に画定可能にするために、保持部品６が、細長いエレメント２の一部を受容する通路１９部分を画定する切抜き６’を上部に含み、カバー１３が、その折り畳み時に覆われる部品４、６、９およびエレメント５、７、１０に向いた内面に受止装置をなす部品１８を含んでおり、この部品が、カバー１３の折り畳み位置で保持部品６により支持され、保持部品６の切抜き６’に対して補足する形状の突起１８’を備え、前記カバー１３が折り畳み位置にあるとき、細長いエレメント２の一部を収容する通路１９の補足部分をなす（図２、図３）。
【００２７】
本発明の好適な変形実施形態によれば、カバー１３は、Ｕ字形の横断面を持つ特定構造を有し、その側面翼１３’が、偏心機構１２、１２’を有し、前記カバー１３の折り畳み位置で部品４、６、９およびエレメント５、７、１０の上面ならびに側面と、リンクロッド１１、１１’と、場合によっては、基体をなす本体３とを覆う。
【００２８】
かくして、装置１は、カバー１３の折り畳み位置で、ほぼ閉じたケースを構成し、外部からは、その動作構成部品に接近できず、これらの動作構成部品が保護される。場合によっては軸封装置を設けることにより、このように画定された内部体積の遮断を強化できる。
【００２９】
細長いエレメント２の締付けに伴う必然的な折り畳み時の操作を容易にし、供給応力を制限するために、カバー１３は、偏心機構１１、１１’に向かい合った端に、たとえば前記カバー１３の前記端を延長する湾曲部分としてレバー状の把持装置１４を備える。
【００３０】
有利には、添付図が示すように、基体３をなす本体、保持部品６およびストッパ４、支持ブロック７および可動部品９が、たとえばステンレス鋼等の不銹金属のブロック構造を有し、形状がほぼ平行六面体であって、軸方向Ｘに垂直な面でほぼ同じ対向面、または、偏平な接触面および断面を有する。
【００３１】
こうした構成により、変形に強い剛体の小型装置１を容易に製造できる。
【００３２】
保持部品６は、たとえば本体３と一体化して形成可能であり、ストッパ部品４は、本体３にねじ留めまたはボルト締めにより結合することができる。
【００３３】
温度調節装置１を提供可能にする変形実施形態によれば、基体をなす本体３が、密接な表面接触により、台座をなすプレート２０に取り付けられ、放熱器２２に結合される少なくとも一つのペルティエ効果素子２１を対向面で支持することができる。
【００３４】
幾つかの用途では、細長いエレメント２を介して高圧流体を通過可能にすることが必要な場合があり、その場合、細長いエレメントは、各端２’、２’’で、第一および第二の支持エレメント５、１０の対応する接触面５’’、１０’’に密接に押し当てられる接触面２’’に、前記細長いエレメント２を通る流体用の対応する循環路２３’に通じる孔２３を備えている。
【００３５】
その場合、前記第一および第二の支持エレメント５、１０の前記接触面５’’、１０’’が、また、これらのエレメントに設けられた対応する流体循環路２５、２５’に通じる穴２４、２４’をそれぞれ備えるように構成することもでき、向かい合った各組の穴の並置された二つの穴２３と２４、２３と２４’は、細長いエレメント２を締付け後、整列されて連通し、互いに密接に押し当てられる個々の接触面２’’’と５’’；２’’’と１０’’が、前記隣接穴２３と２４；２３と２４’の周囲を気密にし、前記支持エレメント５、１０に設けられた通路２５、２５’が、個々の連通穴２４と２４’に向かい合って前記エレメント５、１０に取り付けられた管路２７の接続または接合手段２６、２６’に結合される。
【００３６】
本発明は、また、一般にゲルを満たされて分析液の流れが通る、交換可能なカートリッジ支持体用の高圧クロマトグラフィー装置のカートリッジホルダを目的とし、このカートリッジホルダが、上記のタイプの装置１からなり、細長いエレメント２が、上記の円筒カートリッジから形成されることを特徴とする。
【００３７】
添付図に示した本発明のさらに有利な特徴によれば、基体３をなす支持本体が、好適には周方向の側壁２９で囲まれたスペース２８を有し、このスペースが、折り畳み部分で回転するカバー１３と共に、ほぼ閉じられた体積を構成して、第一の支持エレメント５の接続部品２６により接続される液体供給管２７の複数の巻きを支持するドラム３０を受容し、前記ドラム３０が、熱伝導性材料からなるブロック円筒構造を有し、その底によって、前記基体をなす本体３に密接な表面接触により固定される。
【００３８】
この巻きつけ管路２７は、かくして温度調整流体タンクを構成し、ほぼ一定の温度の流体を細長いエレメント２を介して循環させることができる。
【００３９】
スペース２８は、場合によっては、本体３をなす材料のブロック内に形成される。
【００４０】
もちろん、本発明は、添付図面に関して説明した実施形態に限られるものではない。特に、各要素の構成の観点から、あるいは同等技術の代替により、本発明の保護範囲を逸脱することなく多数の修正を行うことができる。
【図面の簡単な説明】
【００４１】
【図１】カートリッジホルダをなす本発明による装置の分解組立斜視図である。
【図２】細長いエレメントを設置し、カバーを起こした位置で図１の装置を示す斜視図である（細長いエレメントは締め付けられていない）。
【図３】図２の装置の細長いエレメントの長手方向の軸を含む垂直面による断面図である。
【図４】図２の装置の細長いエレメントの長手方向の軸を通る水平面による断面図である。
【図５】カバーが折り畳み位置にあり、細長いエレメントが軸方向に締め付けられた、図４と同様の断面図である。
【図６】カバーが折り畳み位置にあるときの図１の装置を示す斜視図である。
【図１】
2005521043.tif 000003
【図２】
2005521043.tif 000004
【図３】
2005521043.tif 000005
【図４】
2005521043.tif 000006
【図５】
2005521043.tif 000007
【図６】
2005521043.tif 000008
【国際調査報告】
2005521043.tif 000009
2005521043.tif 000010
2005521043.tif 000011
2005521043.tif 000012